(57)【特許請求の範囲】
【請求項１】
無端状に連なって周回移動する移動コンベヤと、この移動コンベヤの側方に立設されている欄干部と、欄干部の両側に取り付けられている内側パネルおよび外側パネルと、欄干部上でガイドされながら前記移動コンベヤと同期して周回移動する移動手摺とを備える乗客コンベヤシステムであって、
前記移動コンベヤの移動方向に沿って延伸するスライド溝を有する収納部材を前記内側パネルと前記外側パネルとの間の空間の下方に配置し、前記取り外した内側パネルを前記収納部材のスライド溝内をスライド移動させて前記空間に収納する構成とし、前記空間に収納される内側パネルは、上部パネルと、この上部パネルに折り畳み可能に連結される下部パネルとを含み、
前記収納部材のスライド溝は、前記内側パネルの収納時に前記内側パネルの先端角部を受け入れるように一端が開放している一方、前記スライド溝内をスライド移動してきた前記内側パネルの先端角部に当接するように他端が閉じていることを特徴とする乗客コンベヤシステム。
【請求項２】
請求項１に記載の乗客コンベヤシステムにおいて、
前記移動コンベヤの移動方向に沿って延伸するスライド溝を有する収納部材が前記空間の上方にも配置されていることを特徴とする乗客コンベヤシステム。
【請求項３】
請求項１または２に記載の乗客コンベヤシステムにおいて、
前記取り外した１枚の内側パネルを片開き状態で下層階の側に収納可能に構成したことを特徴とする乗客コンベヤシステム。
【請求項４】
請求項１〜３のいずれか一項に記載の乗客コンベヤシステムにおいて、
前記取り外した２枚の内側パネルを両開き状態で下層階側と上層階側とにそれぞれ収納可能に構成したことを特徴とする乗客コンベヤシステム。
【請求項５】
請求項４に記載の乗客コンベヤシステムにおいて、
前記上層階側に配置される収納部材には、前記スライド溝内に収納されている内側パネルの下端角部に係合するストッパが設けられていることを特徴とする乗客コンベヤシステム。
【発明の詳細な説明】
【技術分野】
【０００１】
本発明は、乗客コンベヤシステムに係り、特に、乗客を運搬するコンベヤの側方に立設される欄干部を備える乗客コンベヤシステムに関する。
【背景技術】
【０００２】
エスカレータや動く歩道等の乗客用コンベヤには、乗客を運搬するコンベヤの両側に移動手摺を保持する等のための欄干部が設けられる。欄干部は、内側板と外側板とが乗客用コンベヤの移動方向に沿って配置され、その上部に移動手摺が設けられ、その下部であって乗客用コンベヤの近くにスカートガードが設けられる。
【０００３】
例えば、特開２０１０−１６８１８８号公報（以下、特許文献１という）には、乗客コンベヤシステムにおいてメンテナンスをしやすくすることを解決課題としたエスカレータシステムが開示されている。このエスカレータシステムは、乗客を運搬するコンベヤと、コンベヤの移動に対応して移動する手摺部をガイドするとともにコンベヤの移動方向に沿ってコンベヤの両側にそれぞれ立設された欄干部と、欄干部の内側であるコンベヤ側に取り付けられる複数の内側パネルと、内側パネルに対し内部空間を介して向かい合って取り付けられる配置される外側パネルとを備える。そして、内側パネルは、欄干部の基部および頂部に設けられる回転軸に支持され、コンベヤの側に回動可能に開閉され、閉じた状態ではコンベヤの移動方向に平行に欄干部に一体化して配置され、開いた状態では折畳まれて、その開口部から保守作業を行なうことができることが記載されている。
【先行技術文献】
【特許文献】
【０００４】
【特許文献１】特開２０１０−１６８１８８号公報
【発明の概要】
【発明が解決しようとする課題】
【０００５】
乗客用コンベヤの両側に配置される欄干部の下部は、乗客用コンベヤの床下に設けられるトラス空間に接続されている。トラス空間には、乗客用コンベヤの踏段等の駆動系、移動手摺の駆動系等が乗客用コンベヤの移動方向に沿って配置される。これらの駆動系等のメンテナンスには、１つ又は複数のステップを取り外し、あるいは、欄干部の内側パネル等を取り外してトラス空間を露出させることが必要である。
【０００６】
例えば、欄干部の下部には、移動手摺の駆動装置、移動手摺の駆動チェーン等が配置されている。そこで、移動手摺の駆動チェーンの張力調整等を行うときには、欄干部の内側パネルが一時的に取り外される。乗客用コンベヤは狭い通路が欄干部に挟まれているものであるので、取り外された内側パネル等を置く場所に困ることが多い。特に、エスカレータは傾斜して設置されているので、取り外された内側パネルを置きにくく、上層階あるいは下層階の床まで一旦運び出すことが行われ、作業終了後に内側パネルを取り付けるために再び上層階あるいは下層階の床まで内側パネルを取りに行かなければならない。
【０００７】
このように、乗客用コンベヤのメンテナンスにおいて欄干部の内側パネルを取り外す際には不便が伴う。これに対し、特許文献１には取り外した内側パネルの一端を回動可能に軸支するとともに内側パネルを折り畳み可能に構成しており、折り畳んだ状態でコンベヤの側へ内側パネルを開いてメンテナンス作業を行うことが提案されている。この場合、折り畳まれた内側パネルが狭いコンベヤの幅方向に大きく突出することとなり、メンテナンス作業を行う作業員の通行を妨げとなる。
【０００８】
本発明の目的は、欄干部から取り外した内側パネルを簡単に且つすっきりと収納して、乗客コンベヤシステムのメンテナンスをしやすくすることにある。
【課題を解決するための手段】
【０００９】
本発明に係る乗客コンベヤシステムは、無端状に連なって周回移動する移動コンベヤと、この移動コンベヤの側方に立設されている欄干部と、欄干部の両側に取り付けられている内側パネルおよび外側パネルと、欄干部上でガイドされながら前記移動コンベヤと同期して周回移動する移動手摺とを備える乗客コンベヤシステムであって、前記移動コンベヤの移動方向に沿って延伸するスライド溝を有する収納部材を前記空間の下方に配置し、前記取り外した内側パネルの下部を前記収納部材のスライド溝内をスライド移動させながら前記取り外した内側パネルを前記空間に収納する構成とし、前記空間に収納される内側パネルは、上部パネルと、この上部パネルに折り畳み可能に連結される下部パネルとを含み、前記収納部材のスライド溝は、前記内側パネルの収納時に前記内側パネルの先端角部を受け入れるように一端が開放している一方、前記スライド溝内をスライド移動してきた前記内側パネルの先端角部に当接するように他端が閉じているものである。
【００１０】
本発明に係る乗客コンベヤシステムにおいて、前記移動コンベヤの移動方向に沿って延伸するスライド溝を有する収納部材が前記空間の上方にも配置されていてもよい。
【００１３】
また、本発明に係る乗客コンベヤシステムにおいて、前記取り外した１枚の内側パネルを片開き状態で下層階の側に収納可能に構成してもよい。
【００１４】
さらに、本発明に係る乗客コンベヤシステムにおいて、前記取り外した２枚の内側パネルを両開き状態で下層階側と上層階側とにそれぞれ収納可能に構成してもよい。
【００１５】
この場合、前記上層階側に配置される収納部材には、前記スライド溝内に収納されている内側パネルの下端角部に係合するストッパが設けられていることが好ましい。
【発明の効果】
【００１６】
本発明に係る乗客コンベヤシステムによれば、移動コンベヤの移動方向に沿って延伸するスライド溝を有する収納部材を欄干部の内側パネルおよび外側パネル間の空間の下方に配置し、欄干部から取り外した内側パネルの下部を上記収納部材のスライド溝内をスライド移動させながら内側パネルを上記空間内に収納する構成としたことで、欄干部から取り外した内側パネルを上層階または下層階へ持ち出す必要がない。しかも、取り外した内側パネルを折り畳んで欄干部内の空間に容易に収納できるので移動コンベヤの側に内側パネルが出っ張った状態にならずにすっきりと収納でき、作業員の通行を妨げることもない。したがって、内側パネルを開いて行う乗客コンベヤシステムのメンテナンスの作業効率を向上させることができる。
【図面の簡単な説明】
【００１７】
【図１】本発明に係る乗客コンベヤシステムの一実施形態であるエスカレータの構成を説明する図である。
【図２】図１のエスカレータにおいてコンベヤの側から欄干部を見たときの平面図である。
【図３】図２中のＩＩＩ−ＩＩＩ線断面図である。
【図４】収納部材を上方から見たときの平面図である。
【図５】取り外した内側パネルを折り畳む様子を示す図である。
【図６】取り外して折り畳まれた内側パネルが欄干部内に収納された状態を示す、図３と同様の断面図である。
【図７】隣り合う２枚の内側パネルを両開き状態で収納可能に構成したエスカレータを示す、図２と同様の図である。
【図８】上層階側に配置される上層階側収納部材を上方から見たときの平面図である。
【図９】上層階側収納部材に設けられるストッパを示す拡大断面図である。
【発明を実施するための形態】
【００１８】
以下に図面を用いて本発明に係る実施の形態につき詳細に説明する。以下では、乗客コンベヤシステムとして、上層階と下層階との間に傾斜して設けられるエスカレータシステムを説明するが、傾斜が少ないか無いところに設けられる動く歩道等の運搬装置等であってもよい。コンベヤとしては、複数のステップを移動方向に連続的に接続したものでもよく、連続したベルト状のものであってもよい。
【００１９】
図１は、乗客コンベヤシステムの一実施形態であるエスカレータ１０の構成を説明する図である。エスカレータ１０は、上層階と下層階との間に傾斜して設けられるトラス１２と、トラス１２内を周回移動するコンベヤ１４と、コンベヤ１４の両側にそれぞれ立設される欄干部１６を含んで構成され、上層階と下層階のとの間にコンベヤ１４を移動させて乗客を運搬する機能を有する乗客運搬システムである。
【００２０】
コンベヤ１４は、複数のステップ１８を移動方向に沿って無端状に連ねて接続されており、上層階と下層階との間で周回移動するように構成されている。コンベヤ１４の駆動機構は、欄干部１６の下側であって上層階および下層階の各床内に設けられる上部機械室２０および下部機械室２２内に設置される。エスカレータ１０の駆動機構の保守作業は上部機械室２０および下部機械室２２の少なくとも一方に作業員が入り込んで行われるか、または、後述するように傾斜途中で内側パネルやステップを取り外してトラス１２内の構成部材に対する保守点検作業が行われる。
【００２１】
欄干部１６は、上記のようにコンベヤ１４の移動方向の両側に立設された側壁部である。欄干部１６の周囲には、無端状の移動手摺２４が支持されている。欄干部１６には、複数の内側パネル２６と外側パネル２８とが向かい合って配置され、その間にコンベヤ１４の移動方向に沿って延びる縦長の空間２９が形成されている。また、欄干部１６は、その上部に移動手摺２４が設けられ、その下部はデッキボード３０となっていてコンベヤ１４の近くにはスカートガード３２が設けられている。
【００２２】
なお、図１では、図示の手前側の欄干部１６については外側パネル２８を省略し、また内側パネル２６を輪郭線のみとし、透明な内側パネルのように描いてエスカレータ１０の全体の様子と、奥側の欄干部１６の様子とが見えるようにしてある。また、奥側の欄干部１６において１枚の内側パネルが取り外されて開口した状態が示されている。
【００２３】
移動手摺２４は、コンベヤ１４の移動と同期して移動し、コンベヤ１４に乗った乗客が手で掴むことができる手摺である。移動手摺２４は、トラス１２の傾斜部分の中間位置に設けられた手摺駆動部３４によって駆動される。手摺駆動部３４は、移動手摺駆動チェーンおよび移動手摺駆動ローラ等によって構成される。手摺駆動部３４の保守点検作業は、欄干部１６の内側パネル２６を取り外し、その内側の内部空間２９からトラス１２に向かって開口する開口部を用いて、作業員によって、移動手摺駆動チェーンの張力調整や移動手摺駆動ローラの交換等が行われる。
【００２４】
続いて、図２および図３を参照して、エスカレータ１０の内側パネル２６の取り付け構造等について説明する。図２は、コンベヤ１４の側から欄干部１６を見たときの平面図であり、図３は図２中のＩＩＩ−ＩＩＩ線断面図である。ここで、図２では、図面の理解を容易にするためにエスカレータの傾斜方向を水平にして描かれており、左手が下層階側で右手が上層階側に相当する。また、図３においては外側パネルの図示が省略されている。
【００２５】
内側パネル２６は、下部がスカートガード３２によって支持され、上部が手摺デッキ３６によって支持されている。手摺デッキ３６は、Ｌ字状の断面形状を有してコンベヤ１４の移動方向に沿って延伸する部材であり、その上には欄干部１６の上部において移動手摺２４をガイドするガイドレール２５が固定されている。
【００２６】
また、手摺デッキ３６の下面には、パネル取付部材３８が溶接等の手法で固定されている。パネル取付部材３８は、略コ字状断面を有する金属製の部材であり、コンベヤ１４側に垂下する前壁部３８ａと、図示されていない外側パネル２８側に垂下する後壁部３８ｂとを備える。そして、前壁部３８ａには、内側パネル２６を皿ねじ４０によって固定するための複数の雌ねじ穴が所定間隔で形成されている。他方、パネル取付部材３８の後壁部３８ｂは、前壁部３８ａを越えて長く垂下しており、後述するように収納される内側パネル２６ａの脱落防止壁として機能する。ただし、欄干部１６の下部のスカートガード３２に脱落防止後壁部を設けてそれだけで十分に機能する場合、パネル取付部材３８の後壁部を省略してＬ字型アングル部材としてもよい。
【００２７】
上記のように内側パネル２６の下部は、スカートガード３２によって支持されている。スカートガード３２は、欄干部１６の下部においてコンベヤ１４の移動方向に沿って延伸する金属製の部材である。スカートガード３２は、例えばステンレス鋼板等によって構成され、コンベヤ１４を構成するステップ１８に平行な側壁部３２ａと、側壁部３２ａの上端縁部から水平方向に延伸する支持部３２ｂとを備える。そして、支持部３２ｂの上には、コンベヤ１４の側に支持前壁部３３ａが立設されるとともに、図示されていない外側パネル２８側に脱落防止後壁部３３ｂが立設されている。
【００２８】
内側パネル２６は、図２に示すように、例えばステンレス鋼板等からなる長方形状の金属板で形成されている。内側パネル２６の裏面側、すなわちコンベヤ１４とは反対側の表面の下部には、複数のフック部４２が例えば溶接等の手法により固定されている。これらのフック部４２をスカートガード３２の上部の支持前壁部３３ａに嵌め込むことによって内側パネル２６の下部が支持される。この状態で、内側パネル２６の上部に形成されている貫通孔をパネル取付部材３８の雌ねじ穴に位置合わせして皿ねじ４０をコンベヤ１４側からねじ込むことにより、内側パネル２６が欄干部１６に取り付けられるようになっている。
【００２９】
なお、本実施形態では内側パネル２６が長方形状をなすものと説明するが、これに限定されるものではなく、例えば平行四辺形等の他の形状に形成されたものであってもよい。
【００３０】
１つのエスカレータの欄干部１６には複数枚の内側パネル２６が取り付けられているが（図１参照）、そのうち手摺駆動部３４に対応する位置に取り付けられる内側パネル２６ａは、他の内側パネル２６とは異なる構成を有している。すなわち、図２，３に示すように、この内側パネル２６ａは、縦方向幅が比較的小さい長方形状の上部パネル２７ａと、縦方向幅が比較的大きい下部パネル２７ｂとから構成され、上部パネル２７ａと下部パネル２７ｂとがヒンジまたは蝶番４４によって折り畳み可能に連結されている。これにより、欄干部１６から取り外された内側パネル２６ａは、下部パネル２７ｂに対して上部パネル２７ａを折り畳むことにより縦方向幅を短縮したものにできるようになっている。
【００３１】
なお、本実施形態ではヒンジ連結によって内側パネル２６ａを折り畳み可能に構成したが、これに限定されるものではなく、例えば柔軟性のある布、ゴム等の帯状部材を両パネル２７ａ，２７ｂにまたがって固定することによって折り畳み可能にしてもよい。
【００３２】
図３を参照すると、欄干部１６に取り付けられた内側パネル２６，２６ａと外側パネル２８との間であって、スカートガード３２とパネル取付部材３８との間には、上記の空間２９が形成されている。この空間２９の下方であってスカートガード３２の支持前壁部３３ａと脱落防止後壁部３３ｂとの間には、例えば樹脂等からなる下部収納部材４６が配置されている。下部収納部材４６の上層階側の端部は、折り畳み可能な内側パネル２６ａの略中央付近に位置しており、その下層階側の端部（図２において不図示）は隣り合う内側パネル２６の下層階側の端縁部付近に位置している。
【００３３】
収納部材４６は、欄干部１６から取り外した内側パネル２６ａを上記空間２９に収納するためのものである。下部収納部材４６は、略コ字状の断面を有しており、内側パネル２６の下縁部またはスカートガード３２に沿って延伸するスライド溝４８が上面に形成されている。このスライド溝４８を形成する後方段部は、スライド溝４８へ受け入れる内側パネル２６ａの下端部が後方への脱落を防止するために、前方段部よりも高く形成されているのが好ましい。
【００３４】
他方、上記空間２９の上方であってパネル取付部材３８の前壁部３８ａおよび後壁部３８ｂ間には、例えば樹脂等からなる上部収納部材５０が固定されている。上部収納部材５０の上層階側の端部は、折り畳み可能な内側パネル２６ａの略中央付近に位置しており、その下層階側の端部（図２において不図示）は隣り合う内側パネル２６の下層階側の端縁部付近に位置している。これにより、欄干部１６から取り外した１枚の内側パネル２６ａを片開き状態で下層階の側に収納可能に構成されている。
【００３５】
なお、本実施形態では、上部収納部材５０をパネル取付部材３８の上部に固定するものとしたが、これに限定されず、パネル取付部材３８の後壁部３８ｂに固定するものとして下部収納部材４６と同程度の大きさに形成してもよい。また、下部収納部材４６だけで、収納される内側パネル２６ａを立てた状態で保持するのに十分な強度とスライド溝４８の深さとを確保している場合には、上部収納部材５０を省略してもよい。これにより、部品の点数および製造コストを低減できるとともに組立工数も減らせるメリットがある。
【００３６】
上部収納部材５０の下部には、下部収納部材４６と同様の形状を有するスライド溝５２が下方に向かって形成されている。この上部収納部材５０のスライド溝５２についても、下部収納部材４６のスライド溝４８と同様に形成するのが好ましい。すなわち、スライド溝５２を形成する後方段部は、スライド溝５２へ受け入れる内側パネル２６ａが後方への脱落を防止するために、前方段部よりも高く形成されているのが好ましい。
【００３７】
図４は、下部収納部材４６を上方から見たときの平面図である。図４に示すように、下部収納部材４６のスライド溝４８は、欄干部１６から取り外されて折り畳まれた内側パネル２６ａの収納時に内側パネル２６ａの下側角部、より詳細には、折り畳まれて収納されるときにスライド移動方向の先端側に位置する下側角部を受け入れるように一端４８ａが開放している。一方、スライド溝４８の他端４８ｂは、スライド溝４８内をスライド移動してきた内側パネル２６ａの下側角部に当接するように閉じている。具体的には、スライド溝４８の一端４８ａでは、下部収納部材４６の長手方向（図４中の左右方向）に関し前方段部４６ａが後方段部４６ｂよりも短く形成されており、これにより折り畳まれて収納されようとする内側パネル２６ａを矢印Ａ方向からスライド溝４８へと受け入れ可能になっている。そして、このように受入れられた内側パネル２６ａは、スライド溝４８に沿って矢印Ｂ方向へ押し込まれて（または自重により滑って移動して）他端４８ｂに当接するまでスライド移動させると、下部収納部材４６上に収納された状態になる。
【００３８】
このことは上部収納部材５０についても同様である。すなわち、上部収納部材５０のスライド溝５２は、欄干部１６から取り外されて折り畳まれた内側パネル２６ａの上側角部（先端角部）を受け入れるように一端が開放している一方、スライド溝５２内をスライド移動してきた内側パネル２６ａの先下側角部に当接するように他端が閉じている。
【００３９】
なお、上記においてはスライド溝４８，５２の他端４８ｂ，５２ｂが閉じていることで内側パネルを止める機能を果たすものとして説明するが、これに限定されるものではなく、上記空間２９に収納される内側パネル２６ａの収納位置を決める位置決め部材を別に設けた場合には、収納部材４６，５０のスライド溝４８，５２の他端は閉じていなくてもよい。
【００４０】
次に、図５および６を併せて参照して、上記構成からなるエスカレータ１０において作業員が保守点検作業を行うときの内側パネルの収納動作について説明する。
【００４１】
まず、例えば手摺駆動部３４について保守点検作業を行おうとする作業員は、内側パネル２６ａの上部にある皿ねじ４０をドライバ等の工具で緩めて取り外し、そして、内側パネル２６ａを少し持ち上げてフック部４２をスカートガード３２の支持前壁部３３ａから引き抜くことにより、内側パネル２６ａを欄干部１６から取り外す。
【００４２】
そして、作業員は、図５に示すように、下部パネル２７ｂに対して上部パネル２７ａを重ね合わせるようにして内側パネル２６ａを折り畳む。これにより、欄干部１６内の空間２９に収納可能な程度に内側パネル２６の縦方向長さを短くすることができる。
【００４３】
その後、作業員は、折り畳んだ内側パネル２６ａの下層階側の下側角部を下部収納部材４６の一端４８ａからスライド溝４８に入れ込み、同じく内側パネル２６ａの下層階側の上側角部を上部収納部材５０のスライド溝５２の一端に入れ込む。その状態で、内側パネル２６ａを下層階側へ軽く押し入れると、内側パネル２６ａはスライド溝４８，５２に沿って下層階側へスライド移動し、スライド溝４８，５２の終点端部に当接して止まり、これにより内側パネル２６ａが上記空間２９内に収納される。
【００４４】
このようにして内側パネル２６が収納完了すると、作業員は、取り外された内側パネル２６ａに対応して形成された開口部から欄干部１６の内部空間およびトラス１２内へ保守点検作業のためにアクセス可能となり、手摺駆動部３４の手摺駆動チェーンの張力調整や手摺駆動ローラの交換等を行うことが容易となる。
【００４５】
保守点検作業が終了すると、作業員は、収納部材４６，５０から内側パネル２６ａを引き出して図７の上図のように上部パネル２７ａを展開し、下部のフック部４２をスカートガード３２の支持前壁部３３ａに嵌め込んでから上部を皿ねじ４０で締結して内側パネル２６ａを欄干部１６に取り付ける。
【００４６】
上述したように本実施形態のエスカレータ１０によれば、欄干部１６から取り外した内側パネル２６ａを上層階または下層階へ持ち出す必要がなく、しかも、取り外した内側パネル２６ａを欄干部１６内の空間２９に収納できるので移動コンベヤ１４の側に内側パネルが出っ張った状態にならずにすっきりと収納でき、作業員の通行を妨げることもない。したがって、内側パネル２６ａを開いて行うエスカレータのメンテナンスの作業効率を向上させることができる。
【００４７】
次に、図７〜９を参照して、別の実施形態であるエスカレータ１１について説明する。この実施形態では、上記エスカレータ１０と異なる点についてだけ説明することとして、同一または類似の構成要素に同一または類似の符号を付して重複説明を省略する。
【００４８】
図７は、隣り合う２枚の内側パネル２６ａを両開き状態で収納可能に構成したエスカレータ１１を示す、図２と同様の図である。図８は、上層階側に配置される上層階側収納部材４７を上方から見たときの平面図である。図９は、上層階側収納部材４７に設けられるストッパ５４を示す拡大断面図である。
【００４９】
図７に示すように、本実施形態のエスカレータ１１では、隣り合う２枚の内側パネル２６ａがヒンジ４４によって折り畳み可能に形成されており、欄干部１６から取り外された２枚の内側パネル２６ａが両開き状態で欄干部１６の空間２９内に収容されるようになっている。
【００５０】
具体的には、図７に示すように、上層階側（図中の右側）の内側パネル２６ａに対応して下部収納部材４７が配置されている。図示されていない上層階側の上部収納部材もまた同様に設けられている。
【００５１】
上層階側下部収納部材４７は、下層階側の下部収納部材４６と鏡面対称をなすように形成されている。すなわち、図８に示すように、下層階側に位置するスライド溝４８の一端４８ａが開放しており、これにより折り畳まれた内側パネル２６ａの下側角部をスライド溝４８に受け入れることができる。また、上層階側に位置するスライド溝４８の他端４８ｂは、スライド溝４８内を矢印Ｃ方向へ移動してきた内側パネル２６ａの反対側の下側角部に当接して止めるために閉じている。このことは、上層階側の上部収納部材についても同様である。
【００５２】
また、上層階側の下部収納部材４７には、スライド溝４８の一端４８ａ側の底部にストッパ５４が設けられている。ストッパ５４は、スライド溝４８の他端４８ｂまで内側パネル２６ａが収納されたときに溝底面から上方へ突出して、内側パネル２６ａの収納状態を維持するためのもので、下部収納部材４７がエスカレータ１１の傾斜部分にあってスライド溝４８が下層階側に開放しているために、収納された内側パネル２６ａがずり下がってこないようにする必要があるからである。
【００５３】
ストッパ５４は、図９に示すように、テーパー面を有する先端部５４ａと、先端部５４ａよりも横方向寸法が大きく形成されている基端部５４ｂとを備える。そして、下部収納部材４７内の収容空間５８に収容されているストッパ５４の基端部５４ｂは、付勢手段の一例であるコイルばね５６の付勢力によって押し上げられている。この状態で、ストッパ５４は、先端部５４ａがスライド溝４８の底面から突出した状態で保持されるように構成されている。
【００５４】
スライド溝４８へ内側パネル２６ａが入れ込まれるとき、ストッパ５４は先端部５４ａのテーパー面に向かって矢印Ａ方向に入れ込まれる内側パネル２６ａの下側角部によって押し下げられることにより、内側パネル２６ａの収納を阻害することなく可能にする。そして、内側パネル２６ａがスライド溝４８の他端４８ｂまで完全に収納されたとき、コイルばね５６の付勢力によって先端部５４ａが突出してストッパとして機能する。これにより、上層階側の下部収納部材４７（および上層階側の上部収納部材）に内側パネル２６ａが収納された状態を確実に保持することができる。
【００５５】
なお、上記実施形態のエスカレータでは、欄干部から取り外した内側パネルを折り畳んで欄干部内に収納するように構成したが、本発明に係る乗客コンベヤシステムはこれに限定されるものではなく、鉛直方向に対して少し斜めに傾けた状態で内側パネルを欄干部内に挿入および収納可能であれば、一枚物の内側パネルについて適用してもよい。
【符号の説明】
【００５６】
１０、１１  エスカレータ、１２  トラス、１４  コンベヤまたは移動コンベヤ、１６  欄干部、１８  ステップ、２０  上部機械室、２２  下部機械室、２４  移動手摺、２５  ガイドレール、２６，２６ａ  内側パネル、２７ａ  上部パネル、２７ｂ  下部パネル、２８  外側パネル、２９  空間、３０  デッキボード、３２  スカートガード、３２ａ  側壁部、３２ｂ  支持部、３３ａ  支持前壁部、３３ｂ  脱落防止後壁部、３４  手摺駆動部、３６  手摺デッキ、３８  パネル取付部材、３８ａ  前壁部、３８ｂ  後壁部、４０  皿ねじ、４２  フック部、４４  ヒンジまたは蝶番、４６  下部収納部材、４６ａ  前方段部、４６ｂ  後方段部、４７  上層階側下部収納部材、４８，５２  スライド溝、４８ａ  スライド溝一端、４８ｂ  スライド溝他端、５０  上部収納部材、５４  ストッパ、５４ａ  先端部、５４ｂ  基端部、５６  コイルばね、５８  収容空間。
【図１】
0005577273.tif 000002
【図２】
0005577273.tif 000003
【図３】
0005577273.tif 000004
【図４】
0005577273.tif 000005
【図５】
0005577273.tif 000006
【図６】
0005577273.tif 000007
【図７】
0005577273.tif 000008
【図８】
0005577273.tif 000009
【図９】
0005577273.tif 000010